(57)【要約】【課題】  内視鏡用アダプタや内視鏡挿入部を大きくすることなく、内視鏡用アダプタを内視鏡挿入部に取り付けた状態においても、開口部を閉塞することができ、電極端子の健全性を長期にわたって維持することができる内視鏡装置及びその内視鏡用アダプタを提供すること。【解決手段】  照明光を照射する照明部と、この照明部に電気的に接続されたアダプタ側電極部１８とを備え、被検体に挿入される内視鏡挿入部に着脱可能に取り付けられる内視鏡用アダプタにおいて、前記アダプタ側電極部１８が、長さ方向Ｌの一端に一端開口部３５が形成された長尺状の中空ケース３０と、この中空ケース３０内において前記長さ方向Ｌに移動可能に設けられ、前記一端開口部３５を介して前記中空ケース３０の長さ方向Ｌの一端から出没可能な柱状の電極端子３１と、を備え、前記一端開口部３５の内径寸法と、前記電極端子３１の外径寸法とが同一に設定されていることを特徴とする。【選択図】        図５
2006333997.tif 000002
【特許請求の範囲】
【請求項１】
被検体に照明光を照射する照明部と、この照明部に電気的に接続されたアダプタ側電極部とを備え、前記被検体に挿入される内視鏡挿入部に着脱可能に取り付けられる内視鏡用アダプタにおいて、
前記アダプタ側電極部が、
長さ方向の一端に一端開口部が形成された長尺状の中空ケースと、
この中空ケース内において前記長さ方向に移動可能に設けられ、前記一端開口部を介して前記中空ケースの長さ方向の一端から出没可能な柱状の電極端子と、を備え、
前記一端開口部の内径寸法と、前記電極端子の外径寸法とが同一に設定されていることを特徴とする内視鏡用アダプタ。
【請求項２】
被検体に挿入される内視鏡挿入部を備え、前記被検体に照明光を照射する照明部に電気的に接続されたアダプタ側電極部を有する内視鏡用アダプタを、前記内視鏡挿入部に着脱可能に取り付けて前記被検体の観察を行う内視鏡装置において、
前記内視鏡挿入部が、
この内視鏡挿入部に前記内視鏡用アダプタが取り付けられたときに、前記アダプタ側電極部に電気的に接続される挿入部側電極部を備えるとともに、
この挿入部側電極部が、
長さ方向の一端に一端開口部が形成された長尺状の中空ケースと、
この中空ケース内において前記長さ方向に移動可能に設けられ、前記一端開口部を介して前記中空ケースの長さ方向の一端から出没可能な柱状の電極端子と、を備え、
前記一端開口部の内径寸法と、前記電極端子の外径寸法とが同一に設定されていることを特徴とする内視鏡装置。
【請求項３】
被検体に挿入される内視鏡挿入部と、前記被検体に照明光を照射する照明部を有する内視鏡用アダプタとを備え、この内視鏡用アダプタを前記内視鏡挿入部に着脱可能に取り付けて前記被検体の観察を行う内視鏡装置において、
前記内視鏡用アダプタに、前記照明部に電気的に接続されたアダプタ側電極部が設けられ、
前記内視鏡挿入部に、前記内視鏡用アダプタが前記内視鏡挿入部に取り付けられたときに、前記アダプタ側電極部に電気的に接続される挿入部側電極部が設けられており、
前記アダプタ側電極部または前記挿入部側電極部のいずれか一方が、
長さ方向の一端に一端開口部が形成された長尺状の中空ケースを備えるとともに、
前記いずれか一方または他方が、
少なくとも前記内視鏡用アダプタが前記内視鏡挿入部に取り付けられたときに、前記一端開口部を介して前記中空ケース内に配置される柱状の電極端子を備え、
前記一端開口部の内径寸法と、前記電極端子の外径寸法とが同一に設定されていることを特徴とする内視鏡装置。
【請求項４】
前記一端開口部が円形形状であり、前記電極端子が円柱形状であることを特徴とする請求項３に記載の内視鏡装置。
【請求項５】
前記中空ケース内に、前記一端開口部を介して前記電極端子を外方に向けて付勢する付勢手段が設けられていることを特徴とする請求項３または４に記載の内視鏡装置。
【請求項６】
前記付勢手段が、導電性を有していることを特徴とする請求項５に記載の内視鏡装置。
【請求項７】
前記内視鏡用アダプタ及び前記内視鏡挿入部に、前記内視鏡用アダプタを前記内視鏡挿入部に取り付けるためのアダプタ側取付面及び挿入部側取付面がそれぞれ設けられ、
前記電極端子が、前記アダプタ側取付面または前記挿入部側取付面のいずれか一方から突出しており、
前記アダプタ側電極部または前記挿入部側電極部が、前記アダプタ側取付面または前記挿入部側取付面のいずれか他方に対して内方に没入していることを特徴とする請求項３から請求項６のいずれか一項に記載の内視鏡装置。
【請求項８】
前記アダプタ側電極部または前記挿入部側電極部のいずれか一方が、前記中空ケースと前記電極端子とを備えており、
この電極端子が、前記中空ケース内において前記長さ方向に移動可能に設けられるとともに、前記一端開口部を介して前記中空ケースの長さ方向の一端から出没可能に設けられていることを特徴とする請求項３から請求項７のいずれか一項に記載の内視鏡装置。
【請求項９】
前記一端開口部が、前記中空ケースの径方向内方に向けられた内向きフランジ部により形成されており、
前記電極端子が、柱状の端子先端部と、この端子先端部の基端側に連結されて前記端子先端部より大径に設定された端子基端部と、を備え、
前記端子基端部が、前記中空ケース内において前記長さ方向に移動可能に設けられるとともに、前記端子先端部が、前記一端開口部を介して出没可能に設けられていることを特徴とする請求項８に記載の内視鏡装置。
【請求項１０】
前記電極端子の先端側に、この電極端子の径よりも大径に設定された先端大径部が設けられていることを特徴とする請求項８または請求項９に記載の内視鏡装置。
【請求項１１】
前記アダプタ側電極部または挿入部側電極部が、前記中空ケースの長さ方向の他端側に形成された他端開口部と、前記他端側に配された他端側端子とを備え、
この他端側端子が、前記中空ケース内において前記長さ方向に移動可能に設けられるとともに、前記他端開口部を介して前記中空ケースの長さ方向の他端から出没可能に設けられていることを特徴とする請求項３から請求項１０のいずれか一項に記載の内視鏡装置。
【請求項１２】
前記内視鏡用アダプタまたは前記内視鏡挿入部の内方に前記中空ケースが移動するのを規制する中空ケース移動規制手段を備えることを特徴とする請求項３から請求項１１のいずれか一項に記載の内視鏡装置。
【請求項１３】
前記中空ケースが、導電性を有していることを特徴とする請求項３から請求項１２のいずれか一項に記載の内視鏡装置。
【請求項１４】
前記内視鏡用アダプタまたは前記内視鏡挿入部に、前記中空ケースを取り付けるための取付部が設けられ、
前記中空ケースと前記取付部とを絶縁する絶縁手段を備えることを特徴とする請求項１３に記載の内視鏡装置。
【請求項１５】
前記絶縁手段が、前記中空ケースを覆う絶縁部材であって、
前記内視鏡用アダプタまたは前記内視鏡挿入部の内方に前記絶縁部材が移動するのを規制する絶縁部材移動規制手段を備えることを特徴とする請求項１４に記載の内視鏡装置。
【発明の詳細な説明】
【技術分野】
【０００１】
本発明は、被検体を観察するための内視鏡装置及びその内視鏡用アダプタに関するものである。
【背景技術】
【０００２】
近年、医療分野や工業分野などの様々な分野において、被検体に挿入される長尺状の内視鏡挿入部と、この内視鏡挿入部が連結されて各種操作を行う内視鏡本体部とを備える内視鏡装置が利用されている。このような内視鏡装置の中には、内視鏡挿入部の先端に、照明部などを備える内視鏡用アダプタが着脱可能に取り付けられているものが周知になっている（例えば、特許文献１参照。）。
【０００３】
この内視鏡装置の内視鏡挿入部の先端には、電源部に接続された円筒状の挿入部側電極部が設けられている。さらに、内視鏡用アダプタにも照明部などに接続されたアダプタ側電極部が設けられている。アダプタ側電極部は球状の電極端子を備えており、この電極端子は、圧縮バネを介して取付孔に設置されている。そして、電極端子は、取付孔内において、取付孔の長さ方向に移動可能に設置されており、取付孔の開口部から出没するようになっている。このような構成のもと、内視鏡挿入部の先端に内視鏡用アダプタを取り付けると、アダプタ側電極部と挿入部側電極部とが電気的に接続されて、照明部に電源部からの電力が供給されるようになっている。
【特許文献１】特開２００４−３４１５４６号公報
【発明の開示】
【発明が解決しようとする課題】
【０００４】
しかしながら、上記のような内視鏡装置では、内視鏡用アダプタを内視鏡挿入部から取り外したときには、圧縮バネの付勢力によって電極端子が取付孔の先端に配されることにより、取付孔の開口部が閉じられた状態になるが、内視鏡用アダプタを内視鏡挿入部に取り付けると、挿入部側電極部によって電極端子が取付孔の奥（内視鏡用アダプタの内方）に押し込まれるため、開口部に隙間が生じてしまう。そのため、その隙間を介して取付孔に塵埃が侵入・付着してしまうという問題がある。そこで、電極端子の径を大きくすることにより、押し込まれたときの開口部の隙間を小さくすることはできるが、電極端子の径を大きくすると、それに応じて内視鏡挿入部や内視鏡用アダプタも大きくなってしまう。
【０００５】
本発明は、このような事情に鑑みてなされたものであって、内視鏡用アダプタや内視鏡挿入部を大きくすることなく、内視鏡用アダプタを内視鏡挿入部に取り付けた状態においても、開口部を閉塞することができ、電極端子の健全性を長期にわたって維持することができる内視鏡装置及びその内視鏡用アダプタを提供することを目的とする。
【課題を解決するための手段】
【０００６】
上記課題を解決するために、本発明は以下の手段を提供する。
請求項１に係る発明は、被検体に照明光を照射する照明部と、この照明部に電気的に接続されたアダプタ側電極部とを備え、前記被検体に挿入される内視鏡挿入部に着脱可能に取り付けられる内視鏡用アダプタにおいて、前記アダプタ側電極部が、長さ方向の一端に一端開口部が形成された長尺状の中空ケースと、この中空ケース内において前記長さ方向に移動可能に設けられ、前記一端開口部を介して前記中空ケースの長さ方向の一端から出没可能な柱状の電極端子と、を備え、前記一端開口部の内径寸法と、前記電極端子の外径寸法とが同一に設定されていることを特徴とする。
【０００７】
この発明に係る内視鏡用アダプタにおいては、この内視鏡用アダプタを内視鏡挿入部に取り付けると、電極端子が押圧されて、内視鏡用アダプタの内方に押し込まれる。このとき、電極端子は柱状に形成されていることから、電極端子が一端開口部内に配されている限り、一端開口部の内壁と電極端子の外壁との間の距離は、電極端子の前記長さ方向の位置にかかわらず、一定となる。本発明においては、一端開口部の内径寸法と、電極端子の外径寸法とが同一に設定されていることから、電極端子の前記長さ方向の位置にかかわらず、一端開口部の内壁と電極端子の外壁との間の隙間が塞がれる。
これにより、内視鏡挿入部に取り付けた状態においても、一端開口部の内壁と電極端子の外壁との間に隙間を生じさせないようにすることができる。そのため、アダプタ側電極部内への塵埃の侵入・付着などを防止することができる。
【０００８】
請求項２に係る発明は、被検体に挿入される内視鏡挿入部を備え、前記被検体に照明光を照射する照明部に電気的に接続されたアダプタ側電極部を有する内視鏡用アダプタを、前記内視鏡挿入部に着脱可能に取り付けて前記被検体の観察を行う内視鏡装置において、前記内視鏡挿入部が、この内視鏡挿入部に前記内視鏡用アダプタが取り付けられたときに、前記アダプタ側電極部に電気的に接続される挿入部側電極部を備えるとともに、この挿入部側電極部が、長さ方向の一端に一端開口部が形成された長尺状の中空ケースと、この中空ケース内において前記長さ方向に移動可能に設けられ、前記一端開口部を介して前記中空ケースの長さ方向の一端から出没可能な柱状の電極端子と、を備え、前記一端開口部の内径寸法と、前記電極端子の外径寸法とが同一に設定されていることを特徴とする。
【０００９】
この発明に係る内視鏡装置においては、内視鏡用アダプタを内視鏡挿入部に取り付けると、アダプタ側電極部と挿入部側電極部とが電気的に接続される。このとき、電極端子がアダプタ側電極部に押圧されて、内視鏡挿入部の内方に押し込まれる。ここで、電極端子は柱状に形成されていることから、電極端子が一端開口部内に配されている限り、一端開口部の内壁と電極端子の外壁との間の距離は、電極端子の前記長さ方向の位置にかかわらず、一定となる。本発明においては、一端開口部の内径寸法と、電極端子の外径寸法とが同一に設定されていることから、電極端子の前記長さ方向の位置にかかわらず、一端開口部の内壁と電極端子の外壁との間の隙間が塞がれる。
これにより、内視鏡用アダプタを内視鏡挿入部に取り付けた状態においても、一端開口部の内壁と電極端子の外壁との間に隙間を生じさせないようにすることができる。そのため、挿入部側電極部内への塵埃の侵入・付着などを防止することができる。
【００１０】
請求項３に係る発明は、被検体に挿入される内視鏡挿入部と、前記被検体に照明光を照射する照明部を有する内視鏡用アダプタとを備え、この内視鏡用アダプタを前記内視鏡挿入部に着脱可能に取り付けて前記被検体の観察を行う内視鏡装置において、前記内視鏡用アダプタに、前記照明部に電気的に接続されたアダプタ側電極部が設けられ、前記内視鏡挿入部に、前記内視鏡用アダプタが前記内視鏡挿入部に取り付けられたときに、前記アダプタ側電極部に電気的に接続される挿入部側電極部が設けられており、前記アダプタ側電極部または前記挿入部側電極部のいずれか一方が、長さ方向の一端に一端開口部が形成された長尺状の中空ケースを備えるとともに、前記いずれか一方または他方が、少なくとも前記内視鏡用アダプタが前記内視鏡挿入部に取り付けられたときに、前記一端開口部を介して前記中空ケース内に配置される柱状の電極端子を備え、前記一端開口部の内径寸法と、前記電極端子の外径寸法とが同一に設定されていることを特徴とする。
【００１１】
この発明に係る内視鏡装置においては、内視鏡用アダプタを内視鏡挿入部に取り付けると、アダプタ側電極部と挿入部側電極部とが電気的に接続される。このとき、電極端子が、一端開口部を介して中空ケース内に配置される。ここで、電極端子は柱状に形成されていることから、電極端子が一端開口部内に配されている限り、一端開口部の内壁と電極端子の外壁との間の距離は、電極端子の前記長さ方向の位置にかかわらず、一定となる。本発明においては、一端開口部の内径寸法と、電極端子の外径寸法とが同一に設定されていることから、電極端子の前記長さ方向の位置にかかわらず、一端開口部の内壁と電極端子の外壁との間の隙間が塞がれる。
これにより、内視鏡用アダプタを内視鏡挿入部に取り付けた状態においても、一端開口部の内壁と電極端子の外壁との間に隙間を生じさせないようにすることができる。そのため、アダプタ側電極部または挿入部側電極部内への塵埃の侵入・付着などを防止することができる。
【００１２】
なお、「少なくとも」とは、内視鏡用アダプタが内視鏡挿入部から取り外された場合においては、電極端子が一端開口部を介して中空ケース内に配置されているか否かを問わないが、内視鏡用アダプタが取り付けられたときには、電極端子が一端開口部を介して中空ケース内に配置された状態になることを意味するものである。例えば、アダプタ側電極部または挿入部側電極部のいずれか一方が中空ケースを備え、他方が電極端子を備える場合には、内視鏡用アダプタが取り外されたとき、電極端子は中空ケース内に配置されないが、内視鏡用アダプタが取り付けられたとき、電極端子が一端開口部を介して中空ケース内に配置された状態になる。また、アダプタ側電極部または挿入部側電極部のいずれか一方が中空ケースと電極端子とを共に備える場合には、内視鏡用アダプタが取り外されたときでも、電極端子は一端開口部を介して中空ケース内に配置され、内視鏡用アダプタが取り付けられたときも、電極端子は一端開口部を介して中空ケース内に配置された状態になる。
【００１３】
請求項４に係る発明は、請求項３に記載の内視鏡装置において、前記一端開口部が円形形状であり、前記電極端子が円柱形状であることを特徴とする。
【００１４】
この発明に係る内視鏡装置においては、一端開口部が円形形状であり、電極端子が円柱形状であることから、電極端子の一端開口部内の移動をスムーズにすることができるだけでなく、一端開口部の内壁と電極端子の外壁との間の隙間を満遍なく一様に塞ぐことができる。
【００１５】
請求項５に係る発明は、請求項３または４に記載の内視鏡装置において、前記中空ケース内に、前記一端開口部を介して前記電極端子を外方に向けて付勢する付勢手段が設けられていることを特徴とする。
【００１６】
この発明に係る内視鏡装置においては、電極端子が一端開口部を介して中空ケース内に配されると、付勢手段により、その電極端子が外方に向けて付勢される。
これにより、内視鏡用アダプタを内視鏡挿入部に取り付けたときに、アダプタ側電極部と挿入部側電極部とを確実に接続することができる。
【００１７】
請求項６に係る発明は、請求項５に記載の内視鏡装置において、前記付勢手段が、導電性を有していることを特徴とする。
【００１８】
この発明に係る内視鏡装置においては、付勢手段が導電性を有していることから、内視鏡用アダプタに設けられた照明部に、効率よく電力を供給することができる。
【００１９】
請求項７に係る発明は、請求項３から請求項６のいずれか一項に記載の内視鏡装置において、前記内視鏡用アダプタ及び前記内視鏡挿入部に、前記内視鏡用アダプタを前記内視鏡挿入部に取り付けるためのアダプタ側取付面及び挿入部側取付面がそれぞれ設けられ、前記電極端子が、前記アダプタ側取付面または前記挿入部側取付面のいずれか一方から突出しており、前記アダプタ側電極部または前記挿入部側電極部が、前記アダプタ側取付面または前記挿入部側取付面のいずれか他方に対して内方に没入していることを特徴とする。
【００２０】
この発明に係る内視鏡装置においては、内視鏡用アダプタを内視鏡挿入部に取り付けると、突出した電極端子と、没入したアダプタ側電極部または挿入部側電極部が、電気的に接続される。ここで、アダプタ側電極部または挿入部側電極部は、内方に没入していることから、アダプタ側電極部または挿入部側電極部への塵埃の侵入・付着などを防止することができ、各電極部の健全性を効果的に維持することができる。
【００２１】
請求項８に係る発明は、請求項３から請求項７のいずれか一項に記載の内視鏡装置において、前記アダプタ側電極部または前記挿入部側電極部のいずれか一方が、前記中空ケースと前記電極端子とを備えており、この電極端子が、前記中空ケース内において前記長さ方向に移動可能に設けられるとともに、前記一端開口部を介して前記中空ケースの長さ方向の一端から出没可能に設けられていることを特徴とする。
【００２２】
この発明に係る内視鏡装置においては、内視鏡用アダプタを内視鏡挿入部から取り外すと、電極端子が中空ケースの長さ方向の一端から突出し、内視鏡用アダプタを取り付けると、アダプタ側電極部または挿入部側電極部に押圧されて、電極端子が中空ケースの内方に向けて移動する。
これにより、内視鏡用アダプタを内視鏡挿入部に取り付けたときに、アダプタ側電極部と挿入部側電極部とを確実に接続することができる。
【００２３】
請求項９に係る発明は、請求項８に記載の内視鏡装置において、前記一端開口部が、前記中空ケースの径方向内方に向けられた内向きフランジ部により形成されており、前記電極端子が、柱状の端子先端部と、この端子先端部の基端側に連結されて前記端子先端部より大径に設定された端子基端部と、を備え、前記端子基端部が、前記中空ケース内において前記長さ方向に移動可能に設けられるとともに、前記端子先端部が、前記一端開口部を介して出没可能に設けられていることを特徴とする。
【００２４】
この発明に係る内視鏡装置においては、内視鏡用アダプタを着脱することにより、端子基端部が中空ケース内を移動し、端子先端部が中空ケースの長さ方向の一端から出没する。さらに、端子基端部が、一端開口部を介して外方に移動しようとすると、端子基端部と内向きフランジ部とが接触し、同方向の移動が規制される。
これにより、アダプタ側電極部と挿入部側電極部とを確実に接続することができるだけでなく、電極端子が中空ケースから抜けることを防止することができる。
【００２５】
請求項１０に係る発明は、請求項８または請求項９に記載の内視鏡装置において、前記電極端子の先端側に、この電極端子の径よりも大径に設定された先端大径部が設けられていることを特徴とする。
【００２６】
この発明に係る内視鏡装置においては、内視鏡用アダプタを内視鏡挿入部に取り付けると、先端大径部が、アダプタ側電極部または挿入部側電極部に接触する。
これにより、アダプタ側電極部または挿入部側電極部への接触面積を大きくすることができ、部品精度や組み立て精度が低下しても、アダプタ側電極部と挿入部側電極部とを良好かつ容易に導通させることができる。
【００２７】
請求項１１に係る発明は、請求項３から請求項１０のいずれか一項に記載の内視鏡装置において、前記アダプタ側電極部または挿入部側電極部が、前記中空ケースの長さ方向の他端側に形成された他端開口部と、前記他端側に配された他端側端子とを備え、この他端側端子が、前記中空ケース内において前記長さ方向に移動可能に設けられるとともに、前記他端開口部を介して前記中空ケースの長さ方向の他端から出没可能に設けられていることを特徴とする。
【００２８】
この発明に係る内視鏡装置においては、他端側端子を奥側にして、中空ケースを内視鏡アダプタまたは内視鏡挿入部に取り付けると、他端側端子が、内視鏡アダプタまたは内視鏡挿入部の奥に設けられた接続用の端子に接触し、他端側端子と接続用の端子とが電気的に接続される。
これにより、アダプタ側電極部または挿入部側電極部を容易に組み込むことができるだけでなく、各部品の寸法誤差を吸収することができる。また、アダプタ側電極部または挿入部側電極部の交換を容易にすることができる。
【００２９】
請求項１２に係る発明は、請求項３から請求項１１のいずれか一項に記載の内視鏡装置において、前記内視鏡用アダプタまたは前記内視鏡挿入部の内方に前記中空ケースが移動するのを規制する中空ケース移動規制手段を備えることを特徴とする。
【００３０】
この発明に係る内視鏡装置においては、内視鏡用アダプタを内視鏡挿入部に取り付けると、内視鏡用アダプタまたは内視鏡挿入部の内方に向けて中空ケースが押圧される。このとき、中空ケース移動規制手段により、中空ケースが前記内方に移動するのが規制される。
これにより、中空ケースを容易に固定することができ、アダプタ側電極部と挿入部側電極部との良好な接触状態を長期にわたって維持することができる。
【００３１】
請求項１３に係る発明は、請求項３から請求項１２のいずれか一項に記載の内視鏡装置において、前記中空ケースが、導電性を有していることを特徴とする。
【００３２】
この発明に係る内視鏡装置においては、中空ケースが導電性を有していることから、内視鏡用アダプタに設けられた照明部に、効率よく電力を供給することができる。
【００３３】
請求項１４に係る発明は、請求項１３に記載の内視鏡装置において、前記内視鏡用アダプタまたは前記内視鏡挿入部に、前記中空ケースを取り付けるための取付部が設けられ、前記中空ケースと前記取付部とを絶縁する絶縁手段を備えることを特徴とする。
【００３４】
この発明に係る内視鏡装置においては、絶縁手段により、中空ケースと取付部とが絶縁される。
これにより、アダプタ側電極部または挿入部側電極部における電気損失を減少させることができる。
【００３５】
請求項１５に係る発明は、請求項１４に記載の内視鏡装置において、前記絶縁手段が、前記中空ケースを覆う絶縁部材であって、前記内視鏡用アダプタまたは前記内視鏡挿入部の内方に前記絶縁部材が移動するのを規制する絶縁部材移動規制手段を備えることを特徴とする。
【００３６】
この発明に係る内視鏡装置においては、内視鏡用アダプタを内視鏡挿入部に取り付けると、内視鏡用アダプタまたは内視鏡挿入部の内方に向けて絶縁部材が押圧される。このとき、絶縁部材移動規制手段により、絶縁部材が前記内方に移動するのが規制される。
これにより、絶縁部材を容易に固定することができ、中空ケースと取付部との絶縁状態や、アダプタ側電極部と挿入部側電極部との接触状態を長期にわたって維持することができる。
【発明の効果】
【００３７】
本発明によれば、内視鏡用アダプタを内視鏡挿入部に取り付けたときに、一端開口部の内壁と電極端子の外壁との間に隙間を生じさせないようにすることができることから、内視鏡用アダプタや内視鏡挿入部を大きくすることなく、内視鏡用アダプタを取り付けた状態においても、一端開口部を閉塞することができ、電極端子の健全性を長期にわたって維持することができる。
【発明を実施するための最良の形態】
【００３８】
（実施形態１）
以下、本発明の第１の実施形態における内視鏡装置について、図面を参照して説明する。
図１は、本発明の第１の実施形態としての内視鏡装置１を示したものである。
この内視鏡装置１は、湾曲可能な湾曲部７を有する長尺状の挿入部（内視鏡挿入部）２と、この挿入部２が連結されて各種操作を行う本体部３とを備えている。
【００３９】
本体部３は略箱型に形成されており、その側壁部に、挿入部２の湾曲操作を行うための操作パネル６が設けられている。また、本体部３の天面には、観察画像を映し出すためのモニタ８が設けられている。さらに、本体部３には、電源を供給するための電源部９が設けられている。
また、挿入部２は、その基端部が不図示の連結部を介して本体部３に着脱可能に連結されて構成されている。一方、その先端部には、図２に示すように、観察手段としてのＣＣＤ１６が設けられている。また、挿入部２の先端部の外周面には、その全周にわたって延び、径方向外方に突出する嵌合突起部１７が形成されている。挿入部２の先端面には、不図示の対物レンズを有する光学アダプタ１２（図１に示す）を着脱可能に取り付けるための挿入部側取付面１３が設けられている。この挿入部側取付面１３には、不図示のケーブルを介して、図１に示す電源部９に電気的に接続された固定式の挿入部側電極部３２が設けられている。なお、挿入部側電極部３２については後述する。
【００４０】
光学アダプタ（内視鏡用アダプタ）１２は、図３に示すように、略円柱状に形成されたアダプタ本体部２７と、このアダプタ本体部２７の基端側に同心状に連結された略円筒状の取付フード部２３とを備えている。
アダプタ本体部２７の側壁部には、例えばＬＥＤなどからなる照明部１１が設けられている。また、アダプタ本体部２７の底面部２７ａには、光学アダプタ１２を挿入部２に取り付けるためのアダプタ側取付面２９が設けられている。このアダプタ側取付面２９には、照明部１１に電気的に接続された可動式のアダプタ側電極部１８が設けられている。なお、アダプタ側電極部１８については後述する。
また、取付フード部２３の内周面には、全周にわたって延びる取付溝２６が形成されている。
このような構成のもと、光学アダプタ１２を、図２に示す挿入部側取付面１３の前方に配して押し込むと、嵌合突起部１７と取付溝２６とが嵌合し、これにより、挿入部側取付面１３とアダプタ側取付面２９とが対向した状態で、光学アダプタ１２が挿入部２の先端部に着脱可能に取り付けられるようになっている。
【００４１】
さらに、本実施形態におけるアダプタ側電極部１８は、図４及び図５に示すように、有底円筒状に形成された中空ケース３０と、略円柱状に形成された電極端子３１とを備えている。
中空ケース３０は、アルミや真鍮などの非鉄、または鉄などの金属からなっており、導電性を有している。また、中空ケース３０の長さ方向Ｌの一端には、径方向内方に向けられた内向きフランジ部３４が形成されている。内向きフランジ部３４は、中空ケース３０の一端がかしめられることによって形成されたものである。この内向きフランジ部３４によって、中空ケース３０の一端に、円形形状の一端開口部３５が形成されている。
【００４２】
また、電極端子３１は、金属からなっており、その表面に導電性の高いメッキまたは塗装が施されている。さらに、電極端子３１は、円柱形状の端子先端部３７及び端子基端部３８を備えている。これら端子先端部３７と端子基端部３８とは、同心状かつ一体的に連結されている。端子先端部３７は、一端開口部３５を介して、中空ケース３０の一端から突出している。一端開口部３５の内径と端子先端部３７の外径とは、同一に設定されており、端子先端部３７が一端開口部３５に配されることにより、一端開口部３５が塞がれるようになっている。
【００４３】
また、端子基端部３８は、端子先端部３７より大径に設定されており、中空ケース３０の筒孔３９（中空ケース内）において長さ方向Ｌに移動可能に設けられている。そして、端子基端部３８が筒孔３９内を移動することにより、端子先端部３７は、一端開口部３５を介して、中空ケース３０の一端から出没可能になっている。なお、端子基端部３８が一端開口部３５を介して外方に移動しようとすると、端子基端部３８と内向きフランジ部３４とが当接するようになっている。すなわち、内向きフランジ部３４は、電極端子３１の抜け止め手段として機能するものである。
端子基端部３８と中空ケース３０の内底面部との間には、コイルバネ（付勢手段）４２が設けられている。そして、このコイルバネ４２の付勢力により、端子基端部３８は中空ケース３０の一端側に付勢され、端子先端部３７は中空ケース３０の一端から外方に向けて付勢された状態になっている。コイルバネ４２は、金属からなっており、導電性を有している。
【００４４】
このような構成のアダプタ側電極部１８には、図６及び図７に示すように、中空ケース３０の周囲を覆う絶縁ケース（絶縁手段）４７が設けられている。すなわち、絶縁ケース４７は、有底円筒状に形成されており、その筒孔にアダプタ側電極部１８が挿入され固定されている。中空ケース３０の底面部と、絶縁ケース４７の底面部４７ａとは当接している。絶縁ケース４７の先端には、径方向外方に突出する外向きフランジ部４８が形成されている。絶縁ケース４７の底面部４７ａの中央には、貫通孔４９が形成されている。
【００４５】
このようにアダプタ側電極部１８が挿入された絶縁ケース４７は、光学アダプタ１２に形成された電極取付孔４３に取り付けられている。すなわち、電極取付孔４３を形成する内周壁部４４は、中空ケース３０及び絶縁ケース４７を取り付けるための取付部として機能するものである。アダプタ側電極部１８が電極取付孔４３に取り付けられた状態において、端子先端部３７は、アダプタ側取付面２９から、外方に突出している。
また、内周壁部４４の長さ方向の両端のうち、底面部２７ａ側の一端には、段差部５２が形成されており、この段差部５２に、外向きフランジ部４８が当接している。
【００４６】
このような構成のもと、アダプタ側電極部１８が光学アダプタ１２の内方（奥側）に向けて押圧されると、絶縁ケース４７の底面部４７ａによって、その押圧力が支持されて、中空ケース３０の前記内方への移動が規制されるようになっている。さらに、絶縁ケース４７が光学アダプタ１２の内方（奥側）に向けて押圧されると、段差部５２によって、その押圧力が支持されて、絶縁ケース４７の前記内方への移動が規制されるようになっている。すなわち、絶縁ケース４７の底面部４７ａは、中空ケース移動規制手段として機能し、段差部５２及び外向きフランジ部４８は、絶縁部材移動規制手段として機能するものである。
なお、絶縁ケース４７は、中空ケース３０と内周壁部４４とを絶縁する絶縁手段及び絶縁部材として機能するものである。
【００４７】
また、中空ケース３０の外底面部には、貫通孔４９を介して絶縁ケース４７の筒孔に挿通されたケーブル５３の一端がはんだにより電気的に接続されている。ケーブル５３の他端は、照明部１１に電気的に接続されている。なお、符号５０は、はんだ部を示すものである。
【００４８】
さらに、図２に示すように、挿入部２の挿入部側取付面１３には、凹部５４が形成されており、凹部５４内に、有底円筒状の挿入部側電極部３２が設けられている。そして、挿入部側電極部３２の外底面部が凹部５４から外方に露出している。すなわち、挿入部側電極部３２は、挿入部側取付面１３に対して、挿入部２の内方（奥側）に没入している。そのため、挿入部側電極部３２の周囲が、凹部５４を形成する側壁部に覆われており、これにより挿入部側電極部３２が挿入部側取付面１３の表面から隠されている。また、挿入部側電極部３２は、金属からなっており、その表面に導電性の高いメッキまたは塗装が施されている。
【００４９】
次に、このように構成された本実施形態における内視鏡装置１の作用について説明する。
まず、挿入部２の挿入部側取付面１３に光学アダプタ１２を取り付ける。すると、後述するように、端子先端部３７が凹部５４内に配されて、挿入部側電極部３２の外底面部に当接する。これによりアダプタ側電極部１８と挿入部側電極部３２とが電気的に接続されて、照明部１１に電源部９からの電力が供給される。そして、挿入部２を被検体内に挿入して、照明部１１から照明光を照射させる。このとき、被検対象からの反射光が、光学アダプタ１２の対物レンズを介して取り込まれ、ＣＣＤ１６に結像する。そして、ＣＣＤ１６からの出力信号が、所定の回路を経て、モニタ８に供給される。これにより、モニタ８に観察画像が映し出され、この観察画像を見ながら、被検体の所定の検査が行われる。
【００５０】
ここで、光学アダプタ１２を挿入部側取付面１３に取り付けると、以下のようにしてアダプタ側電極部１８と挿入部側電極部３２とが電気的に接続される。
すなわち、挿入部２の先端に光学アダプタ１２を持っていき、挿入部側取付面１３とアダプタ側取付面２９とを対向させた状態で、光学アダプタ１２を押し込む。すると、端子先端部３７が、凹部５４内に配されて、挿入部側電極部３２に当接する。さらに光学アダプタ１２を押し込むと、挿入部側電極部３２によって、端子先端部３７が光学アダプタ１２の内方に押圧される。そのため、端子先端部３７は、一端開口部３５を介して、中空ケース３０内に没入する方向に移動するとともに、端子基端部３８が、コイルバネ４２の付勢力に抗して、中空ケース３０内を光学アダプタ１２の内方に向けて移動する。
【００５１】
端子先端部３７が中空ケース３０内に向けて移動しても、端子先端部３７は円柱形状であるため、端子先端部３７が一端開口部３５を通っている限り、端子先端部３７の外壁と、一端開口部３５の内壁との間の距離は常に一定となる。さらに、端子先端部３７の外径寸法と、一端開口部３５の内径寸法とが同一に設定されていることから、端子先端部３７の位置にかかわらず、端子先端部３７の外壁と、一端開口部３５の内壁との間の隙間は常に塞がれた状態になる。
【００５２】
次いで、端子先端部３７が押し込まれた状態で、挿入部２の嵌合突起部１７が取付溝２６に嵌合し、光学アダプタ１２が挿入部２の先端に取り付けられる。このとき、端子先端部３７は、一端開口部３５を介してアダプタ側取付面２９から突出しているが、挿入部側電極部３２によって押し込まれた分、アダプタ側取付面２９からからの突出寸法は小さくなる。さらに、端子先端部３７は、コイルバネ４２の付勢力によって挿入部側電極部３２に向けて押圧される。そのため、端子先端部３７が挿入部側電極部３２に当接した状態が保持される。これにより、アダプタ側電極部１８と挿入部側電極部３２とが電気的に接続される。
【００５３】
また、光学アダプタ１２を挿入部２の先端に取り付けるとき、中空ケース３０及び絶縁ケース４７は、押圧されて光学アダプタ１２の内方に向けて移動しようとするが、上述したように、それぞれ絶縁ケース４７の底面部４７ａ及び段差部５２に当接することによって、その移動が規制される。
【００５４】
以上より、本実施形態における内視鏡装置１によれば、端子先端部３７の位置にかかわらず、端子先端部３７の外壁と、一端開口部３５の内壁との間の隙間を常に塞ぐことができることから、光学アダプタ１２を挿入部２に取り付けた状態においても、一端開口部３５の内壁と端子先端部３７の外壁との間に隙間を生じさせないようにすることができる。これにより、アダプタ側電極部１８内への塵埃の侵入・付着などを防止することができる。そのため、接触不良などを防止することができ、アダプタ側電極部１８の健全性を長期にわたって維持することができる。また、塵埃の侵入などを防止することができることから、クリーニングの頻度を低減させ、管理を容易にすることができる。
【００５５】
また、一端開口部３５が円形形状であり、端子先端部３７が円柱形状であることから、端子先端部３７の一端開口部３５内の移動をスムーズにすることができるだけでなく、一端開口部３５の内壁と端子先端部３７の外壁との間の隙間を満遍なく一様に塞ぐことができる。
また、端子先端部３７が一端開口部３５を介して中空ケース３０内に配されると、コイルバネ４２の付勢力により、その端子先端部３７が外方に向けて付勢されるため、光学アダプタ１２を挿入部２に取り付けたときに、アダプタ側電極部１８と挿入部側電極部３２とを確実に接続することができる。
【００５６】
さらに、コイルバネ４２及び中空ケース３０が導電性を有していることから、電源部９からの電力を、コイルバネ４２及び中空ケース３０を介して照明部１１に供給することができる。そのため、電力供給の効率を向上させることができる。ここで、コイルバネ４２は、断面積が小さく長さ寸法が大きいため、抵抗が大きくなるのに対して、中空ケース３０は、断面積が大きく長さ寸法が小さいため、抵抗が小さくなる。本実施形態においては、中空ケース３０とケーブル５３とを接続しているため、より効率よく電力を供給することができる。
また、絶縁ケース４７により、中空ケース３０と内周壁部４４とを絶縁することができるため、アダプタ側電極部１８における電気損失を減少させることができる。
また、挿入部側電極部３２は、挿入部側取付面１３に対して内方に没入しており、挿入部側取付面１３の表面から隠されていることから、光学アダプタ１２を取り外した状態において、挿入部側電極部３２の損傷や塵埃の侵入・付着などを防止することができ、挿入部側電極部３２の健全性を効果的に維持することができる。
【００５７】
また、中空ケース３０に内向きフランジ部３４が設けられていることから、電極端子３１のスムーズな移動を可能にしつつ、その電極端子３１が中空ケース３０から抜け落ちることを防止することができる。
さらに、絶縁ケース４７の底面部４７ａ及び段差部５２によって、中空ケース３０及び絶縁ケース４７が光学アダプタ１２の内方に向けて移動することを規制することができるため、中空ケース３０及び絶縁ケース４７を内周壁部４４に容易に固定することができ、アダプタ側電極部１８と挿入部側電極部３２との良好な接触状態を長期にわたって維持することができる。
【００５８】
また、光学アダプタ１２を挿入部２に取り付けると、挿入部側電極部３２の外底面と、端子先端部３７の先端面とが接触することから、挿入部側電極部３２とアダプタ側電極部１８とを面接触させることができ、部品精度や組み立て精度が低下しても、挿入部側電極部３２とアダプタ側電極部１８とを容易に導通させることができる。
さらに、挿入部側電極部３２及び電極端子３１に、導電性の高いメッキまたは塗装を施していることから、挿入部側電極部３２とアダプタ側電極部１８との間の電気損失を減少させることができる。
【００５９】
なお、本実施形態においては、中空ケース３０、電極端子３１、コイルバネ４２及び絶縁ケース４７を設けるとしたが、これらの形状・材質などは適宜変更可能である。
例えば、図８に示すように、コイルバネ４２の代わりに、樹脂などの弾性部材（付勢手段）５７を設けるようにしてもよい。なお、この弾性部材５７について、導電性の樹脂を使用することにより、電力供給の効率を向上させることができる。
また、図９に示すように、コイルバネ４２などを設けなくてもよい。この場合、中空ケース３０内を気密状態にする。これにより、電極端子３１の往復移動に応じて、筒孔３９内のエアーを圧縮・膨張させることにより、エアーを付勢手段として機能させることができる。
【００６０】
さらに、図１０に示すように、中空ケース３０の先端に、ゴム製のシーリング部材５８を設けるようにしてもよい。これにより、アダプタ側電極部１８内への浸水なども防止することができ、浸水による腐食や故障などを防止することができる。
また、図１１に示すように、電極端子３１を、その全長にわたって同一の径を有する円柱形状としてもよい。これにより、電極端子３１を容易に製造することができる。この場合、コイルバネ４２の先端と、電極端子３１の後端とを固定し、コイルバネ４２の後端と、中空ケース３０の内底面とを固定する。これにより、内向きフランジ部３４を不要とすることができ、構成を簡易にすることができる。
【００６１】
また、図１２に示すように、端子先端部３７の先端に、端子先端部３７よりも大径の先端大径部５９を設けるようにしてもよい。これにより、先端大径部５９を挿入部側電極部３２に接触させることができ、挿入部側電極部３２への接触面積を大きくすることができる。そのため、部品精度や組み立て精度が低下しても、アダプタ側電極部１８と挿入部側電極部３２とを良好かつ容易に導通させることができる。
さらに、図１３及び図１４に示すように、中空ケース３０の先端に外向きフランジ部６２を設け、絶縁ケース４７の先端に、外向きフランジ部６２が当接する段差部６３を設けるようにしてもよい。これら外向きフランジ部６２及び段差部６３は、中空ケース移動規制手段として機能するものである。また、絶縁ケース４７の基端部の近傍に係合段差部６４を設け、内周壁部４４の基端側に、係合段差部６４と係合する被係合段差部６６を設ける。これら、係合段差部６４及び被係合段差部６６は、絶縁部材移動規制手段として機能するものである。
【００６２】
さらに、図１５に示すように、内周壁部４４、絶縁ケース４７及び中空ケース３０に、段差部や外向きフランジ部などを設けることなく、絶縁ケース４７を円筒状とし、中空ケース３０を有底円筒状としてもよい。この場合、接着剤などにより、絶縁ケース４７及び中空ケース３０を固定する。
また、図１６に示すように、絶縁ケース４７を設けることなく、内周壁部４４にアダプタ側電極部１８を直接取り付けてもよい。この場合、中空ケース３０を絶縁部材からなるものとしたり、中空ケース３０の表面に、例えばアルマイト処理などの絶縁処理を施したりすればよい。また、内周壁部４４を絶縁部材からなるものとしたり、内周壁部４４の表面に絶縁処理を施したりしてもよい。
【００６３】
さらに、図１７及び図１８に示すように、中空ケース３０の長さ方向Ｌの他端に、内向きフランジ部３４を設け、この内向きフランジ部３４によって、円形形状の他端開口部６８を形成するようにしてもよい。この場合、中空ケース３０の他端に、円柱形状の他端側端子６９を設ける。他端側端子６９は、円柱形状の接続端子部７０及び端子基板部７１を備えており、電極端子３１と同様の構成となっている。
接続端子部７０は、他端開口部６８を介して、中空ケース３０の他端から突出している。他端開口部６８の内径と接続端子部７０の外径とは、同一に設定されており、接続端子部７０が他端開口部６８に配されることにより、他端開口部６８が塞がれるようになっている。これにより、他端開口部６８を介して塵埃が侵入することを防止することができる。
【００６４】
また、端子基板部７１は、中空ケース３０の筒孔３９において長さ方向Ｌに移動可能に設けられている。そして、電極端子３１と同様に、端子基板部７１が筒孔３９内を移動することにより、接続端子部７０が、他端開口部６８を介して、中空ケース３０の他端から出没可能になっている。
また、端子基板部７１は、コイルバネ４２の付勢力により、中空ケース３０の他端側に付勢され、接続端子部７０は中空ケース３０の他端から外方に向けて付勢された状態になっている。
さらに、絶縁ケース４７は、電極取付孔４３に着脱可能に取り付けられるようになっており、絶縁ケース４７を電極取付孔４３に取り付けた後も、その絶縁ケース４７を取り外すことができるようになっている。すなわち、アダプタ側電極部１８は、絶縁ケース４７を介して、電極取付孔４３に交換可能に取り付けられるようになっている。
【００６５】
このような構成のもと、絶縁ケース４７にアダプタ側電極部１８を挿入して、所定の位置まで押し込むと、貫通孔４９を介して接続端子部７０が突出した状態になる。なお、接続端子部７０の外径寸法と貫通孔４９の内径寸法とを同一に設定することにより、貫通孔４９を塞ぐことができる。
さらに、上記のように接続端子部７０が突出した状態で、絶縁ケース４７を、接続端子部７０から電極取付孔４３に挿入して、所定の位置まで押し込むと、接続端子部７０が、ケーブル５３の先端に設けられた接続部７３に当接され、コイルバネ４２の付勢力に抗して中空ケース３０内に押し込まれる。このとき、接続端子部７０は、コイルバネ４２の付勢力によって、接続部７３に向けて押圧され、これにより、他端側端子６９と接続部７３との電気的接続が維持される。
ここで、アダプタ側電極部１８が故障した場合、アダプタ側電極部１８を絶縁ケース４７ごと抜き取って、他のアダプタ側電極部１８及び絶縁ケース４７を、上記のようにして内周壁部４４に取り付ける。
なお、アダプタ側電極部１８を、絶縁ケース４７に対して交換可能に取り付けられるようにしてもよい。
【００６６】
以上より、アダプタ側電極部１８を、その向きを意識することなく容易に組み込むことができる。また、他端側端子６９が出没することにより、各部品の寸法誤差を吸収することができる。また、アダプタ側電極部１８が交換可能になっていることから、光学アダプタ１２の修理を容易にすることができる。さらに、他端側端子６９と接続部７３とをはんだ付けなどにより固定する必要がないことから、アダプタ側電極部１８の交換を容易にすることができる。
【００６７】
（実施形態２）
次に、本発明の第２の実施形態について説明する。
図１９から図２２は、本発明の第２の実施形態を示したものである。
図１９から図２２において、図１から図１８に記載の構成要素と同一部分については同一符号を付し、その説明を省略する。
この実施形態と上記第１の実施形態とは基本的構成は同一であり、ここでは異なる点についてのみ説明する。
【００６８】
本実施形態における内視鏡装置１は、上記第１の実施形態のアダプタ側電極部１８と挿入部側電極部３２とが互いに入れ替えられて取り付けられたものである。すなわち、本実施形態の挿入部側電極部７４は、上記第１の実施形態のアダプタ側電極部１８と同一の構成をなしており、本実施形態のアダプタ側電極部７５は、上記第１の実施形態の挿入部側電極部３２と同一の構成をなしている。そのため、アダプタ側電極部７５は固定式となっており、挿入部側電極部７４は、上述のように可動式となっている。
そして、光学アダプタ１２を挿入部２に取り付けると、上記と同様にして、アダプタ側電極部７５と挿入部側電極部７４とが電気的に接続される。このとき、一端開口部３５が閉じられた状態になる。
【００６９】
以上より、本実施形態における内視鏡装置１によれば、上記第１の実施形態と同様の効果を奏することができる。
なお、図８から図１８に示した上記第１の実施形態の変形例は、本実施形態においても適用することができる。
【００７０】
（実施形態３）
次に、本発明の第３の実施形態について説明する。
図２３から図２６は、本発明の第３の実施形態を示したものである。
本実施形態においては、図２３及び図２４に示すように、挿入部側電極部７８が固定式となっており、アダプタ側電極部７９が可動式となっている。すなわち、挿入部側電極部７８は、挿入部側取付面１３から突出した円柱形状の突出端子（電極端子）８０を備えており、この突出端子８０は、挿入部側取付面１３に固定されている。一方、アダプタ側電極部７９は、図２５及び図２６に示すように、電極端子３１に代えて、円柱形状のケース内接続端子８３を備えている。
【００７１】
ケース内接続端子８３は、金属からなっており、その表面に導電性の高いメッキまたは塗装が施されている。また、ケース内接続端子８３は、長さ方向Ｌに移動可能になっており、コイルバネ４２によって一端開口部３５側に向けて付勢されている。
さらに、一端開口部３５の内径寸法と、突出端子８０の外径寸法とは同一に設定されている。
【００７２】
このような構成のもと、光学アダプタ１２を挿入部２に取り付けると、突出端子８０が凹部５４を介して、一端開口部３５から中空ケース３０内に挿入される。そして、突出端子８０がケース内接続端子８３に当接し、アダプタ側電極部７９と挿入部側電極部７８とが電気的に接続される。
【００７３】
以上より、本実施形態における内視鏡装置１によれば、上記第１の実施形態と同様の効果を奏することができるだけでなく、突出端子８０を固定していることから、その強度を増大させることができる。
なお、ケース内接続端子８３を設けるとしたが、これに限ることはなく、図２７に示すように、ケース内接続端子８３を設けなくてもよい。この場合、突出端子８０は、一端開口部３５を介して、コイルバネ４２の先端に当接する。これにより、アダプタ側電極部７９と挿入部側電極部７８とが電気的に接続される。
なお、図８から図１９に示した上記第１の実施形態の変形例は、本実施形態においても適用することができるのは言うまでもない。
【００７４】
（実施形態４）
次に、本発明の第４の実施形態について説明する。
図２８から図３０は、本発明の第４の実施形態を示したものである。
この実施形態と上記第３の実施形態とは基本的構成は同一であり、ここでは異なる点についてのみ説明する。
【００７５】
本実施形態における内視鏡装置１は、上記第３の実施形態のアダプタ側電極部７９と挿入部側電極部７８とが互いに入れ替えられて取り付けられたものである。すなわち、本実施形態の挿入部側電極部８５は、上記第３の実施形態のアダプタ側電極部７９と同一の構成をなしており、本実施形態のアダプタ側電極部８６は、上記第３の実施形態の挿入部側電極部７８と同一の構成をなしている。そのため、アダプタ側電極部８６は固定式となっており、挿入部側電極部８５は可動式となっている。
そして、光学アダプタ１２を挿入部２に取り付けると、上記と同様にして、アダプタ側電極部８６と挿入部側電極部８５とが電気的に接続される。このとき、一端開口部３５が閉じられた状態になる。
【００７６】
以上より、本実施形態における内視鏡装置１によれば、上記第３の実施形態と同様の効果を奏することができる。
なお、図８から図１９に示した上記第１の実施形態の変形例は、本実施形態においても適用することができることは言うまでもない。
【００７７】
なお、上記第１から第４の実施形態においては、一端開口部３５及び他端開口部６８を円形形状とし、電極端子３１、他端側端子６９及び突出端子８０等を円柱形状としたが、これに限ることはなく、それら形状は適宜変更可能である。例えば、電極端子３１などの横断面形状を楕円にしたり、または電極端子３１などを角柱形状にしたりしてもよい。
また、コイルバネ４２などの付勢手段と中空ケース３０とが、導電性を有するとしたが、これに限ることはなく、少なくとも一方が導電性を有していればよい。
【００７８】
また、アダプタ側電極部１８，７５，７９，８６は、照明部１１と接続されているとしたが、これに限ることはなく、アダプタ識別センサや温度・湿度センサなどのセンサ類または他の電子部品などと接続されていてもよい。
さらに、光学アダプタ１２の側壁部に照明部１１を設け、光学アダプタ１２を側視用のアダプタとしたが、これに限ることはなく、光学アダプタ１２の先端に照明部１１を設け、光学アダプタ１２を直視用のアダプタとしてもよい。
なお、本発明の技術範囲は上記第１から第４の実施形態に限定されるものではなく、本発明の趣旨を逸脱しない範囲において、種々の変更を加えることが可能である。
【図面の簡単な説明】
【００７９】
【図１】本発明に係る内視鏡装置の第１の実施形態を示す全体構成図である。
【図２】図１の内視鏡装置の挿入部の先端を拡大して示す斜視図である。
【図３】図１の光学アダプタを基端側から見た様子を拡大して示す図であって、取付フード部の略半周を破断して示す斜視図である。
【図４】図３のアダプタ側電極部を拡大して示す斜視図である。
【図５】図４の中空ケースの略半周を破断して示す斜視図である。
【図６】図３の光学アダプタの略半周を破断して示す斜視図である。
【図７】図６のアダプタ側電極部の周辺の様子を示す要部断面図である。
【図８】図５のアダプタ側電極部の変形例を示す図であって、弾性部材を設けた様子を示す斜視図である。
【図９】図５のアダプタ側電極部の変形例を示す図であって、弾性手段としてのエアーを有する様子を示す斜視図である。
【図１０】図５のアダプタ側電極部の変形例を示す図であって、シーリング部材を設けた様子を示す斜視図である。
【図１１】図５のアダプタ側電極部の変形例を示す図であって、円柱形状の電極端子を設けた様子を示す斜視図である。
【図１２】図５のアダプタ側電極部の変形例を示す図であって、端子先端部に先端大径部を設けた様子を示す斜視図である。
【図１３】図６の中空ケース、絶縁ケース及び内周壁部の変形例を示す図であって、中空ケースに外向きフランジ部を設けた様子などを示す斜視図である。
【図１４】図１３のアダプタ側電極部の周辺の様子を示す要部断面図である。
【図１５】図１４の中空ケース、絶縁ケース及び内周壁部の変形例を示す図であって、アダプタ側電極部の周辺の様子を示す要部断面図である。
【図１６】図１４の中空ケース、絶縁ケース及び内周壁部の他の変形例を示す図であって、アダプタ側電極部の周辺の様子を示す要部断面図である。
【図１７】図６の中空ケース、絶縁ケース及び内周壁部の変形例を示す図であって、中空ケースに他端側端子を設けた様子などを示す斜視図である。
【図１８】図１７のアダプタ側電極部の周辺の様子を示す要部断面図である。
【図１９】本発明に係る内視鏡装置の第２の実施形態の要部を示す図であって、挿入部の先端を示す斜視図である。
【図２０】本発明に係る内視鏡装置の第２の実施形態の要部を示す図であって、光学アダプタを基端側から見て、取付フード部の略半周を破断して示す斜視図である。
【図２１】図１９の挿入部の略半周を破断して示す斜視図である。
【図２２】図２１の挿入部側電極部の周辺の様子を示す要部断面図である。
【図２３】本発明に係る内視鏡装置の第３の実施形態の要部を示す図であって、挿入部の先端を示す斜視図である。
【図２４】本発明に係る内視鏡装置の第３の実施形態の要部を示す図であって、光学アダプタを基端側から見て、取付フード部の略半周を破断して示す斜視図である。
【図２５】図２４のアダプタ側電極部を拡大して示す説明図である。
【図２６】図２４の光学アダプタの略半周を破断して示す斜視図である。
【図２７】図２５のアダプタ側電極部の変形例を示す説明図である。
【図２８】本発明に係る内視鏡装置の第４の実施形態の要部を示す図であって、挿入部の先端を示す斜視図である。
【図２９】本発明に係る内視鏡装置の第４の実施形態の要部を示す図であって、光学アダプタを基端側から見て、取付フード部の略半周を破断して示す斜視図である。
【図３０】図２８の挿入部の略半周を破断して示す説明図である。
【符号の説明】
【００８０】
１    内視鏡装置
２    挿入部（内視鏡挿入部）
１１  照明部
１２  光学アダプタ（内視鏡用アダプタ）
１３  挿入部側取付面
１８，７５，７９，８６  アダプタ側電極部
２９  アダプタ側取付面
３０  中空ケース
３１  電極端子
３２，７４，７８，８５  挿入部側電極部
３４  内向きフランジ部
３５  一端開口部
３７  端子先端部
３８  端子基端部
４２  コイルバネ（付勢手段）
４４  内周壁部（取付部）
４７  絶縁ケース（絶縁手段、絶縁部材）
４７ａ  底面部（中空ケース移動規制手段）
４８  外向きフランジ部（絶縁部材移動規制手段）
５２  段差部（絶縁部材移動規制手段）
５７  弾性部材（付勢手段）
５９  先端大径部
６２  外向きフランジ部（中空ケース移動規制手段）
６３  段差部（中空ケース移動規制手段）
６４  係合段差部（絶縁部材移動規制手段）
６６  被係合段差部（絶縁部材移動規制手段）
６８  他端開口部
６９  他端側端子
８０  突出端子（電極端子）
Ｌ    長さ方向
【図１】
2006333997.tif 000003
【図２】
2006333997.tif 000004
【図３】
2006333997.tif 000005
【図４】
2006333997.tif 000006
【図５】
2006333997.tif 000007
【図６】
2006333997.tif 000008
【図７】
2006333997.tif 000009
【図８】
2006333997.tif 000010
【図９】
2006333997.tif 000011
【図１０】
2006333997.tif 000012
【図１１】
2006333997.tif 000013
【図１２】
2006333997.tif 000014
【図１３】
2006333997.tif 000015
【図１４】
2006333997.tif 000016
【図１５】
2006333997.tif 000017
【図１６】
2006333997.tif 000018
【図１７】
2006333997.tif 000019
【図１８】
2006333997.tif 000020
【図１９】
2006333997.tif 000021
【図２０】
2006333997.tif 000022
【図２１】
2006333997.tif 000023
【図２２】
2006333997.tif 000024
【図２３】
2006333997.tif 000025
【図２４】
2006333997.tif 000026
【図２５】
2006333997.tif 000027
【図２６】
2006333997.tif 000028
【図２７】
2006333997.tif 000029
【図２８】
2006333997.tif 000030
【図２９】
2006333997.tif 000031
【図３０】
2006333997.tif 000032